(57)【要約】【課題】ＰＯＳシステムと画像形成装置を接続することで、販売員の設定によって画像形成動作を許可することができる画像形成システムを提供すること。【解決手段】入力部１０２から画像形成動作許可を入力すると（Ｓ２０１）、通信制御部１０５を介して画像形成装置１１０に送信する（Ｓ２０８）。また、画像形成動作禁止も画像形成装置１１０に送信する（Ｓ２１０）。入力部１０２から精算要求と精算するＩＤ番号が送信されてきた場合（Ｓ２０５；Ｙ）、精算処理へ移る（Ｓ２１６）。ＰＯＳ１００にＩＤ通知が送信されてくると（Ｓ２０６；Ｙ）、ＩＤ受信処理に移る（Ｓ２１８）。ＰＯＳ１００は、画像形成装置１１０から課金情報が送信されてくると（Ｓ２１２；Ｙ）、課金情報受信処理に移る（Ｓ２２０）。画像形成装置１１０から精算不能通知が送信されてきた場合（Ｓ２１４；Ｙ）、表示部１０３に精算不能を表示する（Ｓ２２２）。【選択図】図７
2007302007.tif 000002
【特許請求の範囲】
【請求項１】
ＰＯＳ（販売時点情報管理）システムと画像形成装置を接続した画像形成システムにおいて、
前記画像形成装置は、
トナー、用紙などの消耗品の在庫量を検出し、発注が必要かどうかを判断する検出手段と、
前記検出手段によって検出された消耗品の発注を指示する発注手段と、
前記発注手段による発注の指示を前記ＰＯＳシステムに送信する送信手段と、
を備えたことを特徴とする画像形成システム。
【請求項２】
前記ＰＯＳシステムは、
発注先に発注の指示を通信する通信手段と、
前記画像形成装置の前記送信手段によって送信された発注の指示を前記通信手段によって発注先に通信する発注処理手段と、
を備えたことを特徴とする請求項１記載の画像形成システム。
【請求項３】
自動発注または手動発注の発注モードを設定する発注設定手段をさらに備え、
前記発注設定手段が自動発注する設定の場合、前記発注処理手段は消耗品を発注処理することを特徴とする請求項２記載の画像形成システム。
【請求項４】
自動発注または手動発注の発注モードを入力する発注設定入力手段と、前記発注設定入力手段によって入力された発注モードと前記発注設定手段によって事前に設定された発注モードとを比較する比較手段をさらに備え、
前記比較手段が前記発注設定入力手段と前記発注設定手段の発注モードが異なると比較した結果、前記発注設定入力手段から自動発注に発注モードを入力した場合、前記検出手段は消耗品の在庫量を検出し、発注が必要かどうか判断することを特徴とする請求項３記載の画像形成システム。
【請求項５】
前記検出手段が消耗品の在庫量を検出した結果、発注の必要があると判断した場合、前記発注処理手段は発注の必要があると判断した消耗品を発注処理することを特徴とする請求項１、請求項２、請求項３、請求項４のいずれか１つに記載の画像形成システム。
【請求項６】
前記発注処理手段によって発注されたことを識別する発注処理識別手段と、前記発注処理手段によって発注された消耗品が納品されるまで発注した消耗品名、数量などを記憶する発注記憶手段をさらに備え、前記発注手段によって発注の指示された消耗品がすでに発注済みのものであった場合、前記発注処理手段は、その発注をしないことを特徴とする請求項２記載の画像形成システム。
【請求項７】
商品コードの入力によって納品処理する納品手段と、
前記納品手段によって納品処理された商品コードの商品が消耗品であるか判断する商品判断手段と、をさらに備え、
前記商品判断手段が判断した商品が消耗品である場合、前記検出手段は納品手段によって納品された商品の数量に応じて消耗品の在庫量を変更することを特徴とする請求項１、請求項２、請求項３、請求項４、請求項５、請求項６のいずれか１つに記載の画像形成システム。
【請求項８】
消耗品毎に最低必要な最低在庫量を設定する在庫量設定手段をさらに備え、
前記検出手段が納品手段によって納品された商品の数量に応じて消耗品の在庫量を変更したとき、変更した在庫量が前記在庫量設定手段によって設定された最低在庫量より少なかった場合、前記発注手段は、発注指示を行うことを特徴とする請求項７記載の画像形成システム。
【請求項９】
前記発注設定手段が自動発注の発注モードに設定されている場合の発注数量を記憶する自動発注記憶手段をさらに備え、前記発注手段は前記発注数量を任意に変更できることを特徴とする請求項３、請求項４、請求項５、請求項６、請求項７のいずれか１つに記載の画像形成システム。
【請求項１０】
前記在庫量設定手段によって設定された消耗品毎に最低必要な在庫量を記憶する在庫量記憶手段をさらに備え、
前記在庫量設定手段によって最低在庫量の設定が変更されたとき、検出手段によって検出した在庫量が最低在庫量より少なかった場合、前記発注手段は発注指示を行うことを特徴とする請求項８記載の画像形成システム。
【発明の詳細な説明】
【技術分野】
【０００１】
本発明は、画像形成システムに係り、特に、ＰＯＳ（Ｐｏｉｎｔ  ｏｆ  Ｓｙｓｔｅｍ  販売時点情報管理）システムと通信が可能なプリンタ、ファクシミリ等の画像形成装置の消耗品発注や課金管理制御をＰＯＳシステムを介して行う画像形成システムに関する。
【背景技術】
【０００２】
近年、コンビニエンスストアなどの小売店舗に画像形成装置が設置され、広く利用されている。従来、コピーサービスを行う場合、硬貨を投入すると画像形成動作が許可され、画像形成動作に応じてあらかじめ設定される金額を課金していくコインラックや、カウンタをセットすることで画像形成動作毎に画像形成した枚数をカウントアップするキーカウンタによって課金する課金制御装置が利用されている。
【０００３】
また、これらの課金制御装置を有する複写機、ファクシミリ、プリンタ等の画像形成装置は、画像形成動作に係わる転写紙、トナー、定着オイルなどの消耗品を補充する必要がある。通常、必要とする消耗品を発注する際、発注先に電話やＦＡＸ等で必要な消耗品名と数量を連絡して注文するため、取り扱い説明書に記載されている型番を調べたり、発注先の電話番号を確認するなどしてから発注を行う。
【０００４】
【特許文献１】特開平１０−３０１４５１号公報
【０００５】
上記特許文献１には、消耗品の消費量から消耗品の発注を指示し、操作部上から発注を行う手段を設けることで、自動発注を行うことができ、作業時間を短縮、作業効率を向上させる画像形成装置が記載されている。
【発明の開示】
【発明が解決しようとする課題】
【０００６】
しかしながら、画像形成する際、転写紙のサイズやフルカラーか白黒かの設定によって課金の設定が異なったり、フルカラー画像形成装置の普及により、犯罪防止の面から対面販売を行う必要があった。
課金制御装置から投入硬貨を返却させたり、キーカウンタ、キーカードを抜く際、効果の返却や抜くタイミングによって、課金がされないで画像形成されてしまうこともあった。
【０００７】
また、コインラックの場合には、売り上げの集計内容が把握しづらく、コインラック内の硬貨を数えることにより、ＰＯＳシステムがあるにもかかわらず売り上げ計上しなければならなかった。
従来の小売店舗でＰＯＳシステムによる売り上げ管理が行われている場合、消耗品はＰＯＳシステムから商品として注文されるが、その際、特開平１０−３０１４５１号公報の消耗品の残量を管理するような画像形成装置では、画像形成装置の前に行き消耗品の発注をチェックする必要があった。
また、特開平１０−３０１４５１号公報の画像形成装置では、ＰＯＳシステムを介さないで発注されたものに関しては、手入力で情報を入力する必要があり、発注に手間がかかっていた。
【０００８】
そこで、本発明の第１の目的は、画像形成装置の消耗品発注要求に対して、ＰＯＳシステムによる発注管理が可能な画像形成システムを提供することである。
本発明の第２の目的は、自動発注の可否設定ができる画像形成システムを提供することである。
本発明の第３の目的は、自動発注モードに変更した場合、在庫状況を確認し、発注の必要のある消耗品を発注することが可能な画像形成システムを提供することである。
【０００９】
本発明の第４の目的は、発注前に２回同じ消耗品の発注指示が来た場合、２回目以降の発注指示を無視して２重発注を防ぐことができる画像形成システムを提供することである。
本発明の第５の目的は、納入と同時に在庫量を変更することができる画像形成システムを提供することである。
本発明の第６の目的は、納入の際に在庫量を変更した後、在庫量をチェックして発注の必要があるかを確認することができる画像形成システムを提供することである。
【００１０】
本発明の第７の目的は、自動発注する数量を任意に設定できる画像形成システムを提供することである。
本発明の第８の目的は、最低在庫量の設定変更ができ、最低在庫量を変更した場合、在庫量をチェックして発注の必要があるかを確認することができる画像形成システムを提供することである。
【課題を解決するための手段】
【００１１】
請求項１記載の発明では、ＰＯＳ（販売時点情報管理）システムと画像形成装置を接続した画像形成システムにおいて、前記画像形成装置は、トナー、用紙などの消耗品の在庫量を検出し、発注が必要かどうかを判断する検出手段と、前記検出手段によって検出された消耗品の発注を指示する発注手段と、前記発注手段による発注の指示を前記ＰＯＳシステムに送信する送信手段と、を備えたことにより、前記第１の目的を達成する。
【００１２】
請求項２記載の発明では、請求項１記載の発明において、前記ＰＯＳシステムは、発注先に発注の指示を通信する通信手段と、前記画像形成装置の前記送信手段によって送信された発注の指示を前記通信手段によって発注先に通信する発注処理手段と、を備えたことにより、前記第１の目的を達成する。
【００１３】
請求項３記載の発明では、請求項２記載の発明において、自動発注または手動発注の発注モードを設定する発注設定手段をさらに備え、前記発注設定手段が自動発注する設定の場合、前記発注処理手段は消耗品を発注処理することにより、前記第２の目的を達成する。
【００１４】
請求項４記載の発明では、請求項３記載の発明において、自動発注または手動発注の発注モードを入力する発注設定入力手段と、前記発注設定入力手段によって入力された発注モードと前記発注設定手段によって事前に設定された発注モードとを比較する比較手段をさらに備え、前記比較手段が前記発注設定入力手段と前記発注設定手段の発注モードが異なると比較した結果、前記発注設定入力手段から自動発注に発注モードを入力した場合、前記検出手段は消耗品の在庫量を検出し、発注が必要かどうか判断することにより、前記第３の目的を達成する。
【００１５】
請求項５記載の発明では、請求項１、請求項２、請求項３、請求項４のいずれか１つに記載の発明において、前記検出手段が消耗品の在庫量を検出した結果、発注の必要があると判断した場合、前記発注処理手段は発注の必要があると判断した消耗品を発注処理することにより、前記第３の目的を達成する。
【００１６】
請求項６記載の発明では、請求項２記載の発明において、前記発注処理手段によって発注されたことを識別する発注処理識別手段と、前記発注処理手段によって発注された消耗品が納品されるまで発注した消耗品名、数量などを記憶する発注記憶手段をさらに備え、前記発注手段によって発注の指示された消耗品がすでに発注済みのものであった場合、前記発注処理手段は、その発注をしないことにより、前記第４の目的を達成する。
【００１７】
請求項７記載の発明では、請求項１、請求項２、請求項３、請求項４、請求項５、請求項６のいずれか１つに記載の発明において、商品コードの入力によって納品処理する納品手段と、前記納品手段によって納品処理された商品コードの商品が消耗品であるか判断しする商品判断手段と、をさらに備え、前記商品判断手段が判断した商品が消耗品である場合、前記検出手段は納品手段によって納品された商品の数量に応じて消耗品の在庫量を変更することにより、前記第５の目的を達成する。
【００１８】
請求項８記載の発明では、請求項７記載の発明において、消耗品毎に最低必要な最低在庫量を設定する在庫量設定手段をさらに備え、前記検出手段が納品手段によって納品された商品の数量に応じて消耗品の在庫量を変更したとき、変更した在庫量が前記在庫量設定手段によって設定された最低在庫量より少なかった場合、前記発注手段は、発注指示を行うことにより、前記第６の目的を達成する。
【００１９】
請求項９記載の発明では、請求項３、請求項４、請求項５、請求項６、請求項７のいずれか１つに記載の発明において、前記発注設定手段が自動発注の発注モードに設定されている場合の発注数量を記憶する自動発注記憶手段をさらに備え、前記発注手段は前記発注数量を任意に変更できることにより、前記第７の目的を達成する。
【００２０】
請求項１０記載の発明では、請求項８記載の発明において、前記在庫量設定手段によって設定された消耗品毎に最低必要な在庫量を記憶する在庫量記憶手段をさらに備え、前記在庫量設定手段によって最低在庫量の設定が変更されたとき、検出手段によって検出した在庫量が最低在庫量より少なかった場合、前記発注手段は発注指示を行うことにより、前記第８の目的を達成する。
【発明の効果】
【００２１】
請求項１記載の発明では、画像形成装置は、トナー、用紙などの消耗品の在庫量を検出し、発注が必要かどうかを判断する検出手段と、検出手段によって検出された消耗品の発注を指示する発注手段と、発注手段による発注の指示をＰＯＳシステムに送信する送信手段と、を備えたので、ＰＯＳシステムによる発注管理が可能になり、消耗品の在庫管理と発注管理が容易にできる。
【００２２】
請求項２記載の発明では、ＰＯＳシステムは、発注先に発注の指示を通信する通信手段と、画像形成装置の送信手段によって送信された発注の指示を通信手段によって発注先に通信する発注処理手段と、を備えたので、ＰＯＳシステムによる発注管理が可能になり、消耗品の在庫管理と発注管理が容易にできる。
【００２３】
請求項３記載の発明では、自動発注または手動発注の発注モードを設定する発注設定手段をさらに備え、発注設定手段が自動発注する設定の場合、発注処理手段は消耗品を発注処理することにより、不要になる消耗品に対して発注を禁止することができ、誤発注を防ぐことができる。
【００２４】
請求項４記載の発明では、比較手段が前記発注設定入力手段と前記発注設定手段の発注モードが異なると比較した結果、発注設定入力手段から自動発注に発注モードを入力した場合、検出手段は消耗品の在庫量を検出し、発注が必要かどうか判断するので、手動発注モードから自動発注モードに切り替えた後に発注漏れを防ぐことができる。
【００２５】
請求項５記載の発明では、検出手段が消耗品の在庫量を検出した結果、発注の必要があると判断した場合、発注処理手段は発注の必要があると判断した消耗品を発注処理するので、在庫状況を確認し、発注の必要のある消耗品を発注することが可能であるため、発注漏れを防ぐことができる。
【００２６】
請求項６記載の発明では、発注処理手段によって発注されたことを識別する発注処理識別手段と、発注処理手段によって発注された消耗品が納品されるまで発注した消耗品名、数量などを記憶する発注記憶手段をさらに備え、発注手段によって発注の指示された消耗品がすでに発注済みのものであった場合、発注処理手段は、その発注をしないので、２重に注文することが防ぐことができる。
【００２７】
請求項７記載の発明において、商品判断手段が判断した商品が消耗品である場合、検出手段は納品手段によって納品された商品の数量に応じて消耗品の在庫量を変更するので、納入と同時に在庫量を更新することが可能になるため、常に適正な在庫量を管理することができる。
【００２８】
請求項８記載の発明において、消耗品毎に最低必要な最低在庫量を設定する在庫量設定手段をさらに備え、検出手段が納品手段によって納品された商品の数量に応じて消耗品の在庫量を変更したとき、変更した在庫量が前記在庫量設定手段によって設定された最低在庫量より少なかった場合、発注手段は、発注指示を行うので、納入されるまでの間の消費量も考慮することができ、消耗品の発注を直ちに行うことができ、作業効率が向上し、より適正な在庫管理ができる。
【００２９】
請求項９記載の発明において、発注設定手段が自動発注の発注モードに設定されている場合の発注数量を記憶する自動発注記憶手段をさらに備え、発注手段は発注数量を任意に変更できるので、使用頻度に応じた在庫数を適正に持つことができ、在庫コストの低減ができる。
【００３０】
請求項１０記載の発明において、在庫量設定手段によって設定された消耗品毎に最低必要な在庫量を記憶する在庫量記憶手段をさらに備え、在庫量設定手段によって最低在庫量の設定が変更されたとき、検出手段によって検出した在庫量が最低在庫量より少なかった場合、発注手段は発注指示を行うので、ユーザが意識することなく変更に応じて発注を行うことができるため、作業効率が向上する。
【発明を実施するための最良の形態】
【００３１】
以下、本発明の好適な実施の形態について図１ないし図４７を参照して詳細に説明する。
図１は、第１の実施形態の画像形成システムの構成を示したブロック図である。
画像形成システムは、ＰＯＳ１００、画像形成装置１１０およびＩＤ（Ｉｄｅｎｔｉｆｉｅｒ）認識装置１２０から構成される。
ＰＯＳ１００は、ＰＯＳ制御部１０１、入力部１０２、表示部１０３、プリンタ部１０４、画像形成装置１１０と画像形成動作情報のやり取りをする通信制御部１０５、売り上げデータ１０６および未精算課金データ１０７を備えている。
【００３２】
ＰＯＳ制御部１０１は、図示を省略してあるキーボード、バーコードスキャナ、カードリーダ等からの情報を入力部１０２から価格情報やＰＯＳ情報として受け取る。そして、ＰＯＳ制御部１０１は、ＰＯＳ表示部１０３に購入品名、価格を表示させたり、売り上げデータ１０６に計上したり、精算時にプリンタ部１０４によって購入品の名前と金額、合計金額、つり銭金額等を印字させたりする。
ＰＯＳ制御部１０１は、入力部１０２から画像形成動作の禁止／許可情報が入力されると、通信制御部１０５を介して画像形成装置１１０に画像形成動作の禁止／許可情報を伝達する。
【００３３】
また、画像形成装置１１０から画像形成動作情報が送られてくると、通信制御部１０５は、ＰＯＳ制御部１０１に画像形成動作情報を伝達する。ＰＯＳ制御部１０１は、通信制御部１０５からの画像形成動作情報をＩＤ別に未精算課金データ１０７に記憶させる。
ＰＯＳ制御部１０１は、入力部１０２から画像形成動作の精算要求と、精算するＩＤ番号が入力された場合、未精算課金データ１０７から該当するＩＤの課金情報を引き出し、売り上げ計上する。
売り上げ計上が終了したらＰＯＳ制御部１０１は、未精算課金データ１０７に記憶される該当ＩＤの未精算課金データ１０７の記録を削除する。
なお、売り上げ計上された金額とＰＯＳ情報は売り上げデータ１０６に記憶される。
【００３４】
未精算課金データ１０７をＰＯＳ１００内に持たない場合には、入力部１０２から画像形成動作の精算要求と、精算するＩＤ番号が送られてきたら、通信制御部１０５を介して画像形成装置１１０に入力部１０２から要求されたＩＤの課金情報を送信するように要求する。
画像形成装置１１０から課金情報が送られてきたら、通信制御部１０５を介してＰＯＳ制御部１０１に課金情報が伝達され、購入品として計上され、売り上げ計上された金額とＰＯＳ情報は売り上げデータ１０６に記憶される。
精算が終了したら、ＰＯＳ制御部１０１は通信制御部１０５を介して画像形成装置１１０に精算の終了したＩＤの課金データを消去するように要求をする。
【００３５】
画像形成装置１１０は、モード制御部１１１、シーケンス制御部１１２、操作表示部１１３、通信制御部１１４、課金制御部１１５およびＩＤ別課金データ１１６を備えている。
ＩＤ認識装置１２０は、ＩＤ記憶媒体がセットされた場合に、磁気、バーコード、パンチ穴などに記憶されるＩＤを読み取り、ＩＤが認識できたら、画像形成装置１１０のモード制御部１１１にＩＤ認識データを送信する。
なお、記憶媒体がＩＤ認識装置１２０から除去されると、画像形成装置１１０にＩＤ認識解除を送信する。
【００３６】
モード制御部１１１は、ＩＤ認識装置１２０から送られてきたＩＤ認識データを記憶する。ＩＤが認識された状態、かつ、ＰＯＳ１００より画像形成動作が許可されている場合にのみ、操作表示部１１３に上のモード設定選択を有効にする。モード設定選択が無効になっている場合、操作表示部１１３に画像形成動作が禁止されていることを表示する。
モード制御部１１１は、操作表示部１１３からのモード設定データと画像形成動作開始信号を受けると、シーケンス制御部１１２に画像形成動作を開始するように指示する。
【００３７】
シーケンス制御部１１２は、画像形成動作開始の指示を受けると、図示しない負荷を動作させて画像形成動作を開始する。そして、画像形成動作中、所定の課金タイミングになると、モード制御部１１１に課金タイミング信号を発行する。
シーケンス制御部１１２から課金タイミング信号が送られてくると、モード制御部１１１は、実行中のプロセスのＩＤ認識装置１２０から送られてきたＩＤ認識データとともに、用紙サイズ、カラーモードなどのモード設定データを課金指示信号として課金制御部１１５に送信する。
【００３８】
課金制御部１１５は、モード制御部１１１から課金指示信号を受けると、通信制御部１１４を介してＰＯＳ１００に精算要求と精算するＩＤ番号を送信する。
ＰＯＳ１００が未精算課金データ１０７を持たない場合、モード制御部１１１から課金指示信号を受けると、課金制御部１１５は、ＩＤ別課金データ１１６にＩＤ別に情報を記憶する。
通信制御部１１４を介して、ＰＯＳ１００からあるＩＤの課金情報を送信要求を受け付けると、該当するＩＤの課金情報をＩＤ別課金データ１１６から取り出し、ＰＯＳ１００に送信する。また、ＰＯＳ１００からあるＩＤの課金情報の消去要求があった場合は、ＩＤ別課金データ１１６から該当するＩＤの課金情報を全て削除する。
【００３９】
ユーザが画像形成動作を実行しようとした場合、販売員にその旨を伝えると、販売員は、ＩＤ記憶媒体である磁気カードをユーザに渡すとともに、ＰＯＳ１００の入力部１０２に画像形成動作許可を入力する。
図２は、操作表示部の画像形成動作禁止表示の一例を示した図である。
入力部１０２に伝えられた画像形成動作許可が伝えられたＰＯＳ制御部１０１は、画像形成装置１１０に対して画像形成動作許可を伝える。
画像形成装置１１０では、ＰＯＳ１００から画像形成動作許可が来る前には、操作表示部１１３上に図２に示すような画像形成動作禁止表示を表示させている。
【００４０】
図３は、操作表示部のＩＤ認識カード挿入指示表示の一例を示した図である。
ＰＯＳ１００から画像形成動作許可を受けると、画像形成装置１１０のモード制御部１１１は、操作表示部１１３に対して図３に示すようなＩＤ認識カード挿入指示表示を行わせる。
図３のＩＤ認識カード挿入指示表示が行われている場合、すなわち、ＰＯＳ１００から画像形成動作が許可されている場合、ユーザが磁気カードをセットすることで正しくＩＤが認識されると、ＩＤ認識装置１２０から画像形成装置１１０のモード制御部１１１にＩＤ認識データが送信される。
【００４１】
図４は、操作表示部のモード選択表示の一例を示した図である。また、図５は、操作表示部の画像形成動作の許可確認表示の一例を示した図である。
モード制御部１１１は、操作表示部１１３に図４に示すような画像形成動作のモード設定選択表示を行うとともに、ＩＤ認識データを記憶する。
図２の画像形成動作禁止表示行われている場合、すなわち、ＰＯＳ１００から画像形成動作が禁止されている場合にユーザが磁気カードをセットすると、図５に示すような画像形成動作の許可確認表示が表示される。
【００４２】
図５のような表示があった場合に、ＰＯＳ１００から画像形成動作許可の信号を入力することで画像形成動作可能となるため、販売員がＰＯＳ１００から画像形成動作許可の信号を入力する。
図６は、操作表示部のカード再セット要求表示の一例を示した図である。
ユーザが磁気カードを正しくセットしなかったり、磁気カードの情報を正しく読めなかったために、ＩＤが認識されなかった場合、図６に示すようなカード再セット要求表示を表示させる。図６のような表示があった場合、ユーザは磁気カードを再セットする。
【００４３】
操作表示部１１３上に図４のモード設定選択表示がされると、ユーザが紙サイズやカラーモードを選択してスタートキーを押下すると、画像形成動作が実行される。
操作表示部１１３は、モード設定操作が行われる度に、モード制御部１１１にモード設定内容を通知する。モード制御部１１１は、モード設定内容を記憶しておく。
モード制御部１１１は、操作表示部１１３からスタートキー押下情報を受けると、あらかじめ記憶されたモード設定内容で画像形成動作を実行開始するように、シーケンス制御部１１２に指示をする。また、このときに認識されたＩＤを画像動作が全て終了するまで記憶する。
【００４４】
シーケンス制御部１１２は、モード制御部１１１からの画像形成動作要求を受けると、指示されたモード設定どおりに画像形成動作を実現させる。
また、画像形成動作が実行されると、ＰＯＳ１００に未清算課金データ１０７を持つ場合、ＰＯＳ１００のＰＯＳ制御部１０１に対して画像形成動作中のＩＤと動作中であることを通知する。ＰＯＳ１００は、このＩＤと動作中であることを受けると、未精算課金データ１０７にＩＤ番号の記憶と、動作中であることを記憶する。
【００４５】
ＰＯＳ１００に未清算課金データ１０７を持たない場合、課金制御部１１５に対して画像形成動作中のＩＤと動作中を通知する。課金制御部１１５は、このＩＤと動作中を受けるとＩＤ別課金データ１１６にＩＤ番号の記憶と動作中であることを記憶する。
画像形成動作は、転写紙１枚毎にシーケンス動作が実行される。転写紙が排出完了したときにシーケンス制御部１１２は、モード制御部１１１に課金タイミング信号を発行する。排出完了で課金タイミング信号を発行することにより、ジャム紙に対する課金をしないようにすることができる。
モード制御部１１１は、課金タイミング信号を受けると、課金制御部１１５に現在認識されているＩＤと、課金タイミングが来た画像形成動作のカラーモード設定と紙サイズ設定とを送信し、課金するように指示を出す。
【００４６】
画像形成動作が終了したら、ユーザはＩＤ認識装置１２０から磁気カードを抜き取る。ＩＤ認識装置１２０が磁気カードが抜き取られたのを認識すると、画像形成装置１１０のモード制御部１１１に、ＩＤ認識解除を送信する。
モード制御部１１１は、画像形成動作が実行できない場合、操作表示部１１３上に図３のＩＤ認識カード挿入指示表示を表示させる。
画像形成実行中にＩＤ認識装置１２０からＩＤ認識解除を受信しても、画像形成動作は実行中であるため、給紙された転写紙の分のみ画像形成動作を実行させる。
【００４７】
すでに給紙されている画像形成動作がある場合、画像形成動作が中断不可能なのでそのまま画像形成動作を実行し、課金を課す。この場合には、全ての実行可能な画像形成動作が終了した時点で、モード制御部１１１は、操作表示部１１３上に図３のＩＤ認識カード挿入指示表示を表示させる。
モード制御部１１１は、ＩＤ認識カード挿入指示表示をさせるのと同時にＰＯＳ１００に対して画像形成動作終了をＩＤと共に通知する。
ＰＯＳ１００内のＰＯＳ制御部１０１は、画像形成動作終了を受けると、該当するＩＤの動作状態を動作終了に変更する。
【００４８】
ユーザが販売員に磁気カードを渡すと、入力部１０２内の図示しない磁気カード読み取り部がＩＤを読み取る。入力部１０２は、ＰＯＳ制御部１０１に対して、ＩＤ番号を付与した画像形成動作の精算要求を発行する。
ＰＯＳ制御部１０１は、ＩＤ番号を付与した画像形成動作の精算要求を受け取ると、未精算課金データ１０７に記憶されるＩＤの動作状態をチェックする。該当するＩＤが動作終了していれば、該当するＩＤの課金情報を引き出し売り上げ計上する。
精算が終了したら、カラーモード設定および紙サイズ設定別の情報と、売り上げ金額を売り上げ結果として売り上げデータ１０６に記憶させる。売り上げデータ１０６への記憶が終了したら、未清算金課金データ１０７内にある精算終了したＩＤの持つ課金情報を全て消去する。
該当するＩＤの状態が動作終了でない場合、画像形成動作中のため、精算不能であることを表示部１０３に表示させる。
【００４９】
ＰＯＳ１００に未清算課金データ１０７を持たない場合、課金制御部１１５は課金指示を受けると、カラーモード設定、紙サイズ設定の画像形成動作情報をＩＤ別にＩＤ別課金データ１１６に集計し記憶させる。
ＰＯＳ制御部１０１は、ＩＤ番号を付与した画像形成動作の精算要求を受け取ると、画像形成装置１１０に要求されたＩＤの課金情報を送信するように要求する。
画像形成装置１１０内の課金制御部１１５は課金情報を受けると、ＩＤ別課金データ１１６より該当するＩＤの動作状態をチェックする。
動作状態が動作終了ならば、ＩＤ別課金データ１１６内にある、カラーモード設定、用紙サイズ設定、画像形成枚数の画像形成動作課金データを通信制御部１１４を介してＰＯＳ制御部１０１に送信する。
【００５０】
売り上げデータ１０６への記憶が終了したら、課金制御部１１５に対して精算終了したＩＤの持つ課金情報を全て消去するように指示を出す。
課金制御部１１５は、精算終了したＩＤの持つ課金情報を全て消去する指示を受けると、ＩＤ別課金データ１１６内にある該当するＩＤの課金情報を全て消去する。
また、動作状態が実行中の場合、精算不能をＰＯＳ制御部１０１に送信する。
ＰＯＳ１０１は、精算不能を受け取ると、画像形成動作中のため、精算不能であることを表示部１０３に表示させる。
【００５１】
精算終了後、ＰＯＳ制御部１０１は、入力部１０２より画像形成動作禁止が通知されると、画像形成装置１１０に対して画像形成動作禁止を通知する。
モード制御部１１１は、画像形成動作禁止を受け付けると、画像形成動作実行中でないことを確認したら、図２に示す画像形成動作禁止表示を行うよう操作表示部１１３に指示を出す。
画像形成動作実行中ならば、画像形成動作禁止を無視するか、ＰＯＳ制御部１０１に動作実行中であることを通知する。ＰＯＳ制御部１０１は、動作実行中を受信すると画像形成動作禁止の失敗を表示部１０３に表示する。
【００５２】
次に、第１の実施形態の画像形成システムにおける各処理手順についてフローチャートによって説明する。
図７は、第１の実施形態のＰＯＳでの処理手順を示したフローチャートである。
ユーザが画像形成動作を実行しようとした場合、販売員にその旨を伝えると、販売員は、ＩＤ記憶媒体である磁気カードをユーザに渡すとともに、ＰＯＳ１００の入力部１０２に画像形成動作許可を入力する（ステップ２０１）。
入力部１０２から画像形成動作許可が入力されると（ステップ２０１；Ｙ）、この画像形成動作許可を通信制御部１０５を介して画像形成装置１１０に送信する（ステップ２０８）。
【００５３】
また、ＰＯＳ１００の入力部１０２から画像形成動作禁止が入力された場合（ステップ２０４；Ｙ）、画像形成装置１１０に通信制御部１０５を介して画像形成動作禁止を送信する（ステップ２１０）。
入力部１０２から精算要求と精算するＩＤ番号が送信されてきた場合（ステップ２０５；Ｙ）、精算処理へ移る（ステップ２１６）。
画像形成装置１１０からＰＯＳ１００にＩＤ通知が送信されてくると（ステップ２０６；Ｙ）、ＩＤ受信処理に移る（ステップ２１８）。
ＰＯＳ１００は、画像形成装置１１０から課金情報が送信されてくると（ステップ２１２；Ｙ）、課金情報受信処理に移る（ステップ２２０）。
画像形成装置１１０から精算不能通知が送信されてきた場合（ステップ２１４；Ｙ）、表示部１０３に精算不能を表示する（ステップ２２２）。
【００５４】
次に、精算処理（ステップ２１６）、ＩＤ受信処理（ステップ２１８）、課金情報受信処理（ステップ２２０）の処理手順について説明する。
図８は、ＰＯＳ内に未精算課金データを持つ場合の精算処理手順を示したフローチャートである。
画像形成装置１１０への画像形成動作要求のＩＤがなく、かつ、その要求したＩＤが動作中でない場合（ステップ３０１；Ｎ）、表示部１０３に精算できない警告表示をして（ステップ３０３）、処理を終了する。
【００５５】
画像形成装置１１０への画像形成動作要求のＩＤがあり、かつ、その要求したＩＤが動作中である場合（ステップ；Ｙ）、ＰＯＳ制御部１０１は、ＰＯＳ１００の未精算課金データ１０７から該当するＩＤの課金情報を売り上げ計上する（ステップ３０２）。
ＰＯＳ制御部１０１での精算が終了したら（ステップ３０４；Ｙ）、売り上げデータ１０６に精算内容を記憶する（ステップ３０５）。そして、未精算課金データ１０７から該当するＩＤの課金情報を削除する（ステップ３０６）。
【００５６】
図９は、ＰＯＳ内に未精算課金データを持たない場合の精算処理手順を示したフローチャートである。
未精算課金データ１０７がＰＯＳ１００内にない場合、ＰＯＳ制御部１０１は、画像形成装置１１０に課金データ送信要求を送信する（ステップ４０１）。そして、ＰＯＳ制御部１０１は、画像形成装置１１０からの課金情報待ちの状態となる（ステップ４０２）。
【００５７】
図１０は、ＰＯＳ内に未精算課金データを持つ場合のＩＤ受信処理手順を示したフローチャートである。
画像形成装置１１０のＩＤ認識装置１２０からのＩＤ通知が要求されたＩＤであり（ステップ５０１；Ｙ）、その要求されたＩＤが動作中である場合（ステップ５０４；Ｙ）、未精算課金データ１０７内の該当するＩＤの動作状態を動作中というように変更する（ステップ５０５）。そして、画像形成装置１１０の状態も動作中に変更する（ステップ５０６）。
要求されたＩＤが動作中でない場合（ステップ５０４；Ｎ）、未精算課金データ１０７内の該当するＩＤの動作状態を動作終了に変更し（ステップ５０７）、画像形成装置１１０の状態を動作終了に変更する（ステップ５０８）。
【００５８】
画像形成装置１１０のＩＤ認識装置１２０からのＩＤ通知が要求されたＩＤではないが（ステップ５０１；Ｎ）、要求されたＩＤが動作中である場合（ステップ５０２；Ｙ）、要求されたＩＤを未精算課金データ１０７に記憶する（ステップ５０３）。
画像形成装置１１０のＩＤ認識装置１２０からのＩＤ通知が要求されたＩＤではなく（ステップ５０１；Ｎ）、その要求されたＩＤが動作中でもない場合（ステップ５０２；Ｎ）、処理を終了する。
【００５９】
図１１は、ＰＯＳ内に未精算課金データを持たない場合のＩＤ受信処理手順を示したフローチャートである。
該当するＩＤの動作状態情報が動作中である場合（ステップ６０１；Ｙ）、該当するＩＤが動作中であると精算処理をすることができないので、画像形成装置１１０側の状態も動作中に変更する（ステップ６０２）。
要求されたＩＤが動作中でない場合（ステップ６０１；Ｎ）、画像形成装置１１０の状態を動作終了に変更する（ステップ６０３）。
【００６０】
図１２は、ＰＯＳ内に未精算課金データを持つ場合の課金情報受信処理手順を示したフローチャートである。
ＰＯＳ１００に未清算課金データ１０７を持つ場合、課金制御部１１５は課金指示を受けると、通信制御部１１４を介してＰＯＳ１００内のＰＯＳ制御部１０１に、カラーモード設定、紙サイズ設定の画像形成動作情報や課金データをＩＤ別に未精算課金データ１０７に集計し記憶させる（ステップ７０１）。
【００６１】
図１３は、ＰＯＳ内に未精算課金データを持たない場合の課金情報受信処理手順を示したフローチャートである。
ＰＯＳ１０１は課金情報待ちである場合（ステップ８０１；Ｙ）、画像形成動作課金データを受けると、売り上げとして計上する（ステップ８０２）。精算が終了すると（ステップ８０３；Ｙ）、カラーモード設定および紙サイズ設定別の情報と共に、売り上げ金額を売り上げ結果として売り上げデータ１０６に精算内容を記憶させる（ステップ８０４）。そして、画像形成装置１１０に該当するＩＤの課金情報を削除するよう指示する（ステップ８０５）。
【００６２】
図１４は、画像形成装置１１０での処理手順を示したフローチャートである。
まず、ＰＯＳ１００から画像形成動作許可が送信されると（ステップ９０１；Ｙ）、画像形成動作許可処理に移る（ステップ９０４）。
ＰＯＳ１００から画像形成動作禁止が送信されると（ステップ９０２；Ｙ）、画像形成動作禁止処理に移る（ステップ９０５）。
ＰＯＳ１００から課金情報要求が送信されると（ステップ９０３；Ｙ）、課金情報要求受信処理に移る（ステップ９０６）。
【００６３】
ＩＤ認識装置１２０からＩＤ認識情報が送信されると（ステップ９０７；Ｙ）、ＩＤ認識解除処理に移る（ステップ９０８）。
ＩＤ認識装置１２０からＩＤ認識解除情報が送信されると（ステップ９０９；Ｙ）、ＩＤ認識解除処理に移る（ステップ９１０）。
操作制御部１１３からキー操作情報が送信されると（ステップ９１１；Ｙ）、キー操作情報受信処理に移る（ステップ９１２）。
シーケンス制御部１１２から課金タイミング信号が送信されると（ステップ９１３；Ｙ）、課金タイミング処理に移る（ステップ９１４）。
ＰＯＳ１００から課金情報削除要求が送信されると（ステップ９１５；Ｙ）、課金情報削除処理に移る（ステップ９１６）。
【００６４】
次に、画像形成動作許可処理（ステップ９０４）、画像形成動作禁止処理（ステップ９０５）、課金情報要求受信処理（ステップ９０６）、ＩＤ認識設定処理（ステップ９０８）、ＩＤ認識解除処理（ステップ９１０）、キー操作情報受信処理（ステップ９１２）、課金タイミング処理（ステップ９１４）、課金情報削除処理（ステップ９１６）について説明する。
図１５は、画像形成装置での画像形成動作許可処理手順を示したフローチャートである。
画像形成装置１１０は画像形成動作許可を記憶し（ステップ１００１）、ＩＤが認識されている場合（ステップ１００２；Ｙ）、操作表示部１１３にモード設定選択表示をする（ステップ１００３）。
ＩＤが認識されていない場合（ステップ１００２；Ｎ）、画像形成動作の許可確認表示をする（ステップ１００４）。
【００６５】
図１６は、画像形成装置での画像形成動作禁止処理手順を示したフローチャートである。
画像形成装置１１０は、画像形成動作禁止を記憶し（ステップ１１０１）、ＩＤが認識されている場合（ステップ１１０２；Ｙ）、画像形成動作禁止の表示をする（ステップ１１０４）。
ＩＤが認識されていない場合（ステップ１１０２；Ｎ）、画像形成動作の許可確認表示をする（ステップ１１０３）。
【００６６】
図１７は、画像形成装置での課金情報要求受信処理手順を示したフローチャートである。
課金情報要求に該当するＩＤが動作中である場合（ステップ１２０１；Ｙ）、精算不能をＰＯＳ１００に送信する（ステップ１２０３）。
課金情報要求に該当するＩＤが動作中ではなく（ステップ１２０１；Ｎ）、要求されたＩＤが存在する場合（ステップ１２０２；Ｙ）、該当するＩＤの課金データをＰＯＳ１００に送信する（ステップ１２０４）。
要求されたＩＤが存在しない場合（ステップ１２０２；Ｎ）、精算不能をＰＯＳ１００に送信する（ステップ１２０３）。
【００６７】
図１８は、画像形成装置でのＩＤ認識設定処理手順を示したフローチャートである。
画像形成装置１１０で認識されたＩＤを記憶し（ステップ１３０１）、画像形成動作が許可されている場合（ステップ１３０２；Ｙ）、操作表示部１１３にモード設定選択表示をする（ステップ１３０４）。
画像形成動作が許可されていない場合（ステップ１３０２；Ｎ）、画像形成動作の許可確認表示をする（ステップ１３０３）。
【００６８】
図１９は、画像形成装置でのＩＤ認識解除処理手順を示したフローチャートである。
画像形成装置１１０で認識されたＩＤを削除し（ステップ１４０１）、画像形成動作が許可されている場合（ステップ１４０２；Ｙ）、画像形成動作の許可確認表示をする（ステップ１４０３）。
画像形成動作が許可されていない場合（ステップ１４０４）、ＩＤ認識カード挿入指示表示をする（ステップ１４０４）。
【００６９】
図２０は、画像形成装置でのキー操作情報受信処理を示した図である。
ユーザが操作表示部１１３からモード選択することで、モード設定キー操作情報が送信されてくると（ステップ１５０１；Ｙ）、モード設定内容を記憶する（ステップ１５０３）。
モード設定キー操作情報が送信されず（ステップ１５０１；Ｎ）、画像形成スタート情報がきた場合（ステップ１５０２）、シーケンス制御部１１２に画像形成動作を指示する。
画像形成スタート情報が送信されてこない場合（ステップ１５０２；Ｎ）、処理を終了する。
【００７０】
図２１は、ＰＯＳ内に未精算課金データを持つ場合の画像形成装置での課金タイミング処理手順を示したフローチャートである。
ＰＯＳ１０１が課金制御部１１５に課金指示を送信すると（ステップ１６０１）、課金制御部１１５はＰＯＳ１００に対して画像形成動作情報を送信する。
図２２は、ＰＯＳ内に未精算課金データを持たない場合の画像形成装置での課金タイミング処理手順を示したフローチャートである。
ＰＯＳ１０１が課金制御部１１５に課金指示を送信すると（ステップ１７０１）、ＩＤ別課金データ１１６に課金指示内容を集計する（ステップ１７０２）。
【００７１】
図２３は、画像形成装置での課金情報削除処理手順を示したフローチャートである。
要求されたＩＤがＩＤ別課金データ１１６にある場合（ステップ１８０１；Ｙ）、ＩＤ別課金データ１１６から要求されたＩＤのデータを削除する（ステップ１８０２）。
要求されたＩＤがＩＤ別課金データ１１６にない場合（ステップ１８０１；Ｎ）、処理を終了する。
【００７２】
図２４は、画像形成装置での画像形成動作処理手順を示したフローチャートである。
画像形成動作が実行され（ステップ１９０１）、ジャムが発生した場合（ステップ１９０２；Ｙ）、モード制御部１１１にプロセス終了を送信する（ステップ１９０５）。
ジャムが発生せず（ステップ１９０２；Ｎ）、排紙が完了した場合（ステップ１９０３；Ｙ）、モード制御部１１１に課金タイミング信号を送信する（ステップ１９０４）。
【００７３】
次に、第２の実施の形態について説明する。
図２５は、第２の実施の形態の画像形成システムの構成を示したブロック図である。
第２の実施の形態の画像形成システムは、ＰＯＳ１００が公衆回線１２６に接続されている。
以下、第１の実施の形態と異なる点について説明する。なお、第１の実施の形態と同一の部分には同一の番号を付して、適宜その説明を省略する。
第２の実施の形態の画像形成システムは、ＰＯＳ１００、画像形成装置１１０、公衆回線１２６から構成される。
【００７４】
ＰＯＳ１００は、ＰＯＳ制御部１０１、入力部１０２、表示部１０３、プリンタ部１０４、画像形成装置１１０とデータの送受信をする通信制御部１０５、支出データ記憶部１２３、サプライ管理データ記憶部１２４、サプライ発注モード記憶部１２５を備えている。
ＰＯＳ制御部１０１は、商品の受発注の管理にも使用され、公衆回線１２６を介して商品の発注処理を行ったり、納入された商品の納入チェックを行ったりする。ＰＯＳ制御部１０１は商品の発注を行うと、支出データ記憶部１２３に発注した商品毎に発注数、金額を記憶させる。
【００７５】
サプライ管理データ記憶部１２４は、サプライ品の在庫数量、発注状況などがサプライ品毎に定められた消耗品番号別に記憶している。
サプライ発注モード記憶部１２５は、入力部１０２から設定されたサプライの発注モードと消耗品毎の自動発注時の発注数量設定と、自動発注モードか手動発注モードかを記憶している。
画像形成装置１１０からサプライ補充要求を受けると、ＰＯＳ制御部１０１は、サプライ管理データ１２４の中から該当するサプライ品の在庫数を減算する。
サプライ発注モード記憶部１２５に自動発注モードが設定されている場合、在庫数量が所定の数量以下になると、該当する消耗品が発注済みでなければ、ＰＯＳ制御部１０１は、所定の数量以下になった消耗品を公衆回線１２６を介して発注する。そして、支出データ記憶部１２３に発注した消耗品毎に発注数、金額を記憶させる。また、サプライ管理データ記憶部１２４の中から該当するサプライ品の発注状況を発注済みにする。
【００７６】
サプライ発注モード記憶部１２５に手動発注モードが設定されている場合、表示部１０３に発注を促すメッセージを表示させる。実際に発注が行われたら、支出データ記憶部１２３に発注した消耗品毎に発注数、金額を記憶させる。また、
サプライ管理データ記憶部１２４の中から該当するサプライ品の発注状況を発注済みにする。
また、入力部１０２からの入力で、サプライ管理データ記憶部１２４のデータを表示部１０３に表示させることも可能である。
商品が納入された場合、入力部１０２から商品コードを入力することで、ＰＯＳ制御部１０１は商品を認識する。このとき、納入された商品が消耗品であった場合には、サプライ管理データ記憶部１２４に記憶される該当消耗品の在庫数を初期化し、発注状況を未発注に変える。
【００７７】
画像形成装置１１０は、モード制御部１１１、シーケンス制御部１１２、操作表示部１１３、通信制御部１１４、発注指示制御部１２１、サプライ情報記憶部１２２を備えている。
シーケンス制御部１１２は、画像形成動作を開始して給紙のタイミングになったらモード制御部１１１に給紙開始を伝える。モード制御部１１１は、発注指示制御部１２１に給紙開始したプロセスの用紙サイズを付加して、発注指示制御部１１５にサプライカウントを要求する。
シーケンス制御部１１２は、トナーエンドや定着オイルエンドを検知すると、モード制御部１１１にその情報を伝える。モード制御部１１１は、操作表示部１１３にトナーエンドや定着オイルエンドの情報を表示させるとともに、必要に応じて画像形成動作を禁止させる。
【００７８】
また、モード制御部１１１はトナーエンドや定着オイルエンドの情報を受けると、発注指示制御部１２１にサプライカウントを要求する。
発注指示制御部１２１は、サプライカウント要求を受けると、通信制御部１１４を介してＰＯＳ１００にサプライ補充要求を通知する。
なお、ＰＯＳ１００にサプライ管理データ記憶部１２４を持たない場合、サプライ情報記憶部１２２に、サプライ品毎に在庫数量を記憶し、サプライカウント要求を受けると、サプライ情報記憶部１２２に記憶される該当消耗品の在庫数量を減算させる。
該当消耗品の在庫数量が所定の数量以下になった場合、ＰＯＳ１００に対してサプライ補充要求を通知する。
【００７９】
サプライ補充要求数量の設定は、画像形成装置１１０からでもＰＯＳ１００からも設定変更可能であり、画像形成装置１１０から設定する場合には、操作表示部１１３からサプライ品毎に数量設定が入力されると、モード制御部１１１を介して発注指示制御部１２１に伝えられ、サプライ情報記憶部１２２に、サプライ品毎にサプライ補充要求数量を記憶する。
ＰＯＳ１００から設定する場合には、入力部１０２から入力されたサプライ品毎に数量設定はＰＯＳ制御部１０１に伝えられ、通信制御部１０５を介して画像形成装置１１０にサプライ補充要求数量設定として通知される。
画像形成装置１１０では、通信制御部１１４で、サプライ補充要求数量設定を受けると発注指示制御部１２１に伝えられ、サプライ情報記憶部１２２にサプライ品毎にサプライ補充要求数量を記憶する。
【００８０】
ＰＯＳ１００はサプライ補充要求を受けると、サプライ発注モード記憶部１２５を参照して自動発注モードか判断する。
自動発注モードが設定されている場合、在庫数量が所定の数量以下になると、該当する消耗品が発注済みでなければ、ＰＯＳ制御部１０１は、所定の数量以下になった消耗品を公衆回線１２６を介して発注するとともに、支出データ記憶部１２３に発注した消耗品毎に発注数、金額を記憶させる。
手動発注モードの場合には、表示部１０３に発注を促すメッセージを表示させる。実際に発注が行われたら、支出データ記憶部１２３に発注した消耗品毎に発注数、金額を記憶させる。
【００８１】
発注を行った時点でＰＯＳ１００は、画像形成装置１１０に対して発注通知をする。発注通知には発注された消耗品のデータが付加されており、画像形成装置１１０では、発注指示制御部１２１が発注処理された消耗品の発注状況を発注済みとする。
発注した消耗品が納入されたら、ＰＯＳ１００は画像形成装置１１０に対して、納入された消耗品名と数量を通知する。発注指示制御部１２１は、ＰＯＳ１００から納入情報を受けると、サプライ情報記憶部１１６の該当する消耗品の在庫数量を変更する。
【００８２】
図２６は、ＰＯＳ１００でサプライ情報を管理する場合のサプライ管理データ記憶部１２４に記憶されるデータを示した図である。
データは消耗品別に管理されており、サプライカウント要求が来ると該当するサプライ消耗品の在庫数量を減算させる。また、発注を行うと発注状態を発注済みにし、納入されると納入済みにし在庫数量を初期化する。
図２７は、画像形成装置１１０でサプライ情報を管理する場合のサプライ情報記憶部１２２に記憶されるデータを示した図である。
データは消耗品別に管理され、サプライ補充要求が来ると該当するサプライ消耗品の在庫数量を減算させる。また、発注を行うと発注状態を発注済みにし、納入されると納入済みにし在庫数量を初期化する。
【００８３】
次に、第２の実施の形態の画像形成システム全体の動作について説明をする。
まず、ＰＯＳ１００内にサプライ管理データ記憶部１２４を持つ場合について説明する。
サプライの補充チェックは画像形成動作中に行われる。シーケンス制御部１１２は、画像形成動作を実行中に用紙の給紙タイミングが来たらモード制御部１１１に給紙タイミングを通知する。
なお、用紙の両面に画像形成する場合、最初の片面に画像形成動作させるときの給紙タイミングでのみ給紙タイミングを通知する。
【００８４】
モード制御部１１１は、発注指示制御部１２１に給紙タイミングが来たことを通知して、ＰＯＳ１００にサプライカウント要求を発行する。サプライカウント要求には、そのサプライであるか識別できる商品コードが付加されている。同様にトナーエンド、定着オイルエンドを検知した場合、ＰＯＳ１００にサプライカウント要求を発行する。
画像形成動作が終了したらサプライの補充チェックを終了する。
なお、画像形成装置の初期化動作時にもサプライ補充チェックを行う場合もある。
【００８５】
ＰＯＳ１００はサプライカウント要求を受信した場合、ＰＯＳ制御部１０１においてサプライ管理データ記憶部１２４から要求のあった消耗品コードの残量カウントを減算させる。そして、減算後、発注チェック処理を実行する。
発注チェック処理では、在庫数とサプライ補充設定を比較する。在庫数がサプライ補充設定より大きい場合には、発注の必要はないので発注チェック処理を終了する。
在庫数がサプライ補充設定以下の場合、該当するサプライが「発注済み」でなければ、サプライ発注モード記憶部１２５に記憶される発注モード設定を参照する。
【００８６】
発注モード設定が自動発注の場合、公衆回線を利用して該当する消耗品をサプライ発注データ記憶部１２５に記憶されている所定の数量だけ発注を行う。同時に、支出データ記憶部に発注品名と金額を計上する。
該当するサプライが発注済みならば、発注の必要はないので発注チェック処理を終了する。サプライ管理データ記憶部１２４にある該当データの発注状況を発注済みにして発注チェック処理を終了する。
発注モード設定が手動発注の場合、表示部１０３に該当する消耗品が品薄であることを示すメッセージを表示させる。ユーザが発注すると判断した場合には、入力部１０２より商品コードと数量を入力することで、公衆回線を利用して該当する消耗品の発注を行う。同時に、支出データ記憶部に発注品名と金額を計上する。サプライ管理データ記憶部１２４にある該当データの発注状況を発注済みにして処理を終了する。
【００８７】
消耗品が納入されると、入力部１０２より納入された消耗品コードと検収数量が入力される。ＰＯＳ制御部１０１では、発注単位などにより入力された数量を変更しなければならない場合、発注単位に合わせた納入数に変更する。変更の必要がなければ検収数量を納入数として扱う。
ＰＯＳ制御部１０１は、サプライ管理データ記憶部１０７にある納入された消耗品の在庫数に納入数を加算する。そして、サプライ管理データ記憶部１２４にある納入された消耗品の発注状況を納入済みにする。そして、納入チェック処理を実行し、発注の必要がないかをチェックする。これにより、発注後に在庫がさらに減ってしまって納入されたのにもかかわらず、在庫数量がサプライ補充設定以下であった場合に、再度発注を行う。
【００８８】
発注モードの変更があった場合、発注モード設定処理を実行する（図３３参照）。発注モード設定処理では、まずサプライ発注モード記憶部１２５に記憶される現在の設定されている発注モードと新たに入力された発注モードを比較し、異なる場合に次の処理を実行する。
新たに入力された発注モードが自動発注の場合には、サプライ発注モード記憶部１２５に自動発注を記憶させる。
自動発注モードに変更したことにより、発注をする必要がある消耗品が存在する場合があるので、サプライ管理データ記憶部１２４の全消耗品名（登録数を管理して登録された分だけでも良い）の在庫数量とサプライ補充要求設定を比較させるため、発注チェック処理を実行し、発注モード設定処理を終了する。
【００８９】
新たに入力された発注モードが手動発注の場合には、サプライ発注モード記憶部１２５に手動発注を記憶させ発注モード設定処理を終了する。
入力部１０２からサプライ補充要求設定の変更を受けると、ＰＯＳ制御部１０１は、サプライ管理データ記憶部１２４に記憶されている該当消耗品のサプライ補充要求設定を更新する。
そして、値の変更された消耗品の発注チェック処理を実行し、発注の必要性があれば発注を行う。
【００９０】
次に、ＰＯＳ１００内にサプライ管理データ記憶部１２４を持たない場合について説明する。
サプライの補充チェックは画像形成動作中に行われる。シーケンス制御部１１２は画像形成動作を実行中に用紙の給紙タイミングが来たら、モード制御部１１１に給紙タイミングを通知する。
なお、用紙の両面に画像形成する場合には、最初の片面に画像形成動作させるときの給紙タイミングでのみ給紙タイミングを通知する。
モード制御部１１１は、発注指示制御部１２１に給紙タイミングが来たことを通知して、サプライ減算処理を実行する。同様に、トナーエンド、定着オイルエンドを検知したら、ＰＯＳ１００にサプライ減算処理を実行する。
画像形成動作が終了したら、サプライの補充チェックを終了する。
なお、画像形成装置の初期化動作時にもサプライ補充チェックを行う場合もある。
【００９１】
サプライ減算処理は、サプライ情報記憶部１２２にある該当するサプライの在庫数を減算し、サプライ補充要求発行チェック処理を行う。
サプライ補充要求発行チェック処理では、サプライ補充要求のあった消耗品の在庫数とサプライ補充設定を比較する。
在庫数がサプライ補充設定より大きい場合、発注の必要はないのでサプライ補充要求発行チェック処理を終了する。
在庫数がサプライ補充設定以下の場合、該当するサプライの発注状況が発注済みでなければ、ＰＯＳ１００にサプライ補充要求を発行し、サプライ補充要求発行チェック処理を終了する。
該当するサプライの発注状況が発注済みであるならば、発注の必要がないためサプライ補充要求発行チェック処理を終了する。
【００９２】
ＰＯＳ１００は、サプライ補充要求を受信するとサプライ補充要求受信処理を行う。
サプライ補充要求受信処理では、まずサプライ発注モード記憶部１２５に記憶される発注モード設定を参照する。
発注モード設定が自動発注モードの場合には、公衆回線を利用して該当する消耗品をサプライ発注モード記憶部１２５に記憶されている所定の数量だけ発注を行う。同時に、支出データ記憶部に発注品名と金額を計上する。
次に、画像形成装置１１０に対して発注したことを通知し、サプライ補充要求受信処理を終了する。
発注モード設定が手動発注の場合には、表示部１０３に該当する消耗品が品薄であることを示すメッセージを表示させる。
【００９３】
ユーザが発注すると判断した場合、入力部１０２より商品コードと数量を入力することで、公衆回線を利用して該当する消耗品の発注を行う。同時に、支出データ記憶部に発注品名と金額を計上する。
次に、画像形成装置１１０に対して発注通知を発行し、サプライ補充要求受信処理を終了する。画像形成装置１１０では、ＰＯＳ１００から発注通知を受信すると発注通知受信処理を行う。
発注通知受信処理では、発注指示制御部１２１がサプライ情報記憶部１２２にある発注された消耗品の発注状況を発注済みにして発注通知受信処理を終了させる。
【００９４】
商品が納入されると、入力部１０２より納入された商品コードと検収数量が入力される。ＰＯＳ制御部１０１では、発注単位などにより入力された数量を変更しなければならない場合、発注単位に合わせた納入数に変更する。変更の必要がなければ検収数量を納入数として扱う。
ＰＯＳ制御部１０１は、画像形成装置１１０に対して、納入情報を発行する。
画像形成装置１１０では、納入情報を受信すると納品情報受信処理を実行する。
納入情報受信処理では、発注指示制御部１２１がサプライ情報記録部１２２にある納品された消耗品と同じ消耗品の在庫数に納入数を加算する。そして、サプライ情報記録部１２２にある納入された消耗品の発注状況を納入済みにする。
そして、サプライ補充要求発行チェック処理を実行する。これにより、発注後に在庫がさらに減ってしまって納入されたのにもかかわらず、在庫数量がサプライ補充設定以下であった場合に再度発注を行う。
【００９５】
発注モードの変更があった場合、サプライ発注モード記憶部１２５に記憶される現在の設定されている発注モードと新たに入力された発注モードを比較し、異なる場合に次の発注モード設定処理を実行する。
新たに入力された発注モードが自動発注の場合、サプライ発注モード記憶部１２５に自動発注を記憶させる。
自動発注モードに変更したことにより、発注をする必要がある消耗品が存在する場合があるので、画像形成装置１１０に発注モード変更を通知し、発注モード設定処理を終了する。
新たに入力された発注モードが手動発注の場合には、サプライ発注モード記憶部１２５に手動発注を記憶させ発注モード設定処理を終了する。
【００９６】
画像形成装置１１０は発注モード変更を受信すると、発注指示制御部１２１において発注モード変更通知受信処理を実行する。
発注モード変更通知受信処理では、サプライ情報記憶部１２２の全消耗品名（登録数を管理して登録された分だけでも良い）の在庫数量とサプライ補充要求設定を比較させるために、消耗品毎に前述したサプライ補充要求発行チェック処理を実行し、全てのチェックが終了したら発注モード変更通知受信処理を終了する。
【００９７】
入力部１０２からサプライ補充要求設定の変更を受けると、ＰＯＳ制御部１０１は、画像形成装置１１０に対して、サプライ補充要求設定変更を通知する。
画像形成装置１１０は、サプライ補充要求設定変更を受信するとサプライ補充要求設定変更受信処理実行する。
サプライ補充要求設定変更受信処理では、サプライ情報記憶部１２２の要求のあった消耗品のサプライ要求設定を更新し、サプライ補充要求発行チェック処理を実行し、消耗品の発注の必要がないかチェックする。
なお、画像形成装置１１０でサプライ情報を管理する場合には、操作表示部１１３からもサプライ補充要求設定変更が可能であり、操作表示部１１３からサプライ補充要求設定が変更されると、モード制御部１１１が発注指示制御部１２１に対してサプライ補充要求設定書き換えを指示する。
【００９８】
発注指示制御部１２１は、サプライ補充要求設定変更受信処理を行い、サプライ補充要求設定書き換えと消耗品の発注の必要がないかをチェックする。
自動発注時の自動発注数量変更が入力部１０２から指示されると、ＰＯＳ制御部１０１は、サプライ発注モード記憶部１２５に入力のあった消耗品の自動発注数量を変更し、次回の自動発注時より更新された値を使用するようにする。（サプライ情報の管理が画像形成装置でもＰＯＳでも共通）
【００９９】
次に、第２の実施の形態の画像形成システムの各処理手順についてフローチャートを参照して説明する。
図２８は、ＰＯＳ内にサプライ管理データ記憶部１２４を持つ場合のサプライ補充チェック処理手順を示したフローチャートである。
このサプライの補充チェックは画像形成動作中に行われ、画像形成動作実行が開始されると（ステップ２００１）、シーケンス制御部１１２は、用紙タイミングが送信されてきたらモード制御部１１１に用紙タイミングを通知する（ステップ２００２）。モード制御部１１１は、発注指示制御部１２１に給紙タイミングがきたことを通知してＰＯＳ１００にサプライカウント要求を発行する（ステップ２００３）。
【０１００】
サプライカウント要求にはそのサプライであるか認識できる商品コードが付加されてあり、まず、トナーエンドを検知した場合（ステップ２００４；Ｙ）、ＰＯＳ１００にサプライカウント要求を発行する（ステップ２００５）。
同様に、定着オイルエンドを検知した場合（ステップ２００６；Ｙ）、ＰＯＳ１００にサプライカウント要求を発行する（ステップ２００７）。
そして、画像形成動作が終了したら（ステップ２００８）、サプライの補充チェック処理を終了する。
【０１０１】
図２９は、ＰＯＳ１００でのサプライカウント要求受信処理手順を示した図である。
ＰＯＳ１００は、サプライカウント要求を受信した場合、サプライ管理データ記憶部１２４から要求のあった消耗品の在庫数量を減算し（ステップ２１０１）、発注チェック処理へ移る（ステップ２１０２）。
【０１０２】
図３０は、発注チェック処理手順を示したフローチャートである。
在庫数とサプライ補充設定を比較し（ステップ２１０１）、在庫数がサプライ補充設定よりも大きい場合（ステップ２１０１；Ｙ）、サプライ発注モード記憶部１２５に設定されている発注モード設定を参照する。
サプライ発注モード記憶部１２５が自動発注に設定されている場合（ステップ２２０２；Ｙ）、すでに発注済みであるかどうか確認する（ステップ２２０３）。
該当するサプライが発注済みである場合（ステップ２２０３；Ｙ）、発注チェック処理を終了する。
該当するサプライが発注済みでない場合（ステップ２２０３；Ｎ）、発注を行い（ステップ２２０６）、サプライ管理データ記憶部１２４にある該当データの発注状況を発注済みにして（ステップ２２０７）、処理を終了する。
【０１０３】
サプライ発注モード記憶部１２５が自動発注に設定されていない場合（ステップ２２０２；Ｎ）、表示部１０３に在庫品薄メッセージを表示し（ステップ２２０４）、発注するかどうか確認する（ステップ２２０５）。
発注する場合（ステップ２２０５；Ｙ）、入力部１０２により商品コードや数量を入力することで発注を行い（ステップ２２０６）、サプライ管理データ記憶部１２４にある該当データの発注状況を発注済みにする。
【０１０４】
図３１は、ＰＯＳ内にサプライ管理データ記憶部１２４を持つ場合の手動発注処理手順を示した図である。
サプライ発注モード記憶部１２５が手動発注に設定されていて、表示部１０３に該当する消耗品が品薄であることが表示されている場合、ユーザは、入力部１０２によって消耗品の発注を行う（ステップ２３０１）。
そして、サプライ管理データ記憶部１２４にある該当データの発注状況を発注済みにして（ステップ２３０２）、処理を終了する。
【０１０５】
図３２は、ＰＯＳ内にサプライ管理データ記憶部１２４を持つ場合の納品処理手順を示したフローチャートである。
消耗品が納入されると、サプライ管理データ記憶部１２４の在庫数に納入数を加算する（ステップ２４０１）。そして、サプライ管理データ記憶部１２４の該当データの発注状況を納入済みにして（ステップ２４０２）、発注チェック処理に移る（ステップ２４０３）。
【０１０６】
図３３は、ＰＯＳ内にサプライ管理データ記憶部１２４を持つ場合の発注モード設定処理手順を示したフローチャートである。
サプライ発注モード記憶部１２５に記憶される現在設定されている発注モードと新たに入力された発注モードとを比較する（ステップ２５０１）。
発注モードが異ならない場合（ステップ２５０１；Ｎ）、発注モード設定処理を終了する。
発注モードが異なり（ステップ２５０１；Ｙ）、その新たに入力された発注モードが自動発注モードである場合（ステップ２５０２；Ｙ）、サプライ発注モード記憶部１２５の発注モードを自動発注と記憶させる（ステップ２５０３）。
【０１０７】
発注モードを自動発注を記憶させると（ステップ２５０３）、サプライ情報記憶部１２２の全消耗品（登録数を管理して登録された分だけでもよい）の在庫数量を消耗品毎に発注チェックを行い、全てのチェックが終了したら発注モード変更通知受信処理を終了する（ステップ２５０５〜ステップ２５０８）。
新たに入力された発注モード自動発注モードでない場合（ステップ２５０２；Ｎ）、サプライ発注モード記憶部１２５の発注モードを手動発注と記憶させて（ステップ２５０４）、処理を終了する。
【０１０８】
図３４は、ＰＯＳ内にサプライ管理データ記憶部１２４を持つ場合のサプライ補充要求設定変更処理手順を示したフローチャートである。
入力部１０２からサプライ補充要求設定の変更を受けると、サプライ管理データ記憶部１２４に記憶されている該当消耗品のサプライ補充要求設定を更新する（ステップ２６０１）。そして、発注チェック処理へ移る（ステップ２６０２）。
【０１０９】
図３５は、ＰＯＳ内にサプライ管理データ記憶部１２４を持たない場合のサプライ補充チェック処理手順を示したフローチャートである。
このサプライの補充チェックは画像形成動作中に行われ、画像形成動作実行が開始されると（ステップ２７０１）、シーケンス制御部１１２は、用紙タイミングが送信されてきたらモード制御部１１１に用紙タイミングを通知する（ステップ２７０２）。モード制御部１１１は、発注指示制御部１２１に給紙タイミングがきたことを通知してＰＯＳ１００にサプライ減算処理を実行する（ステップ２７０３）。
【０１１０】
まず、トナーエンドを検知した場合（ステップ２７０４；Ｙ）、ＰＯＳ１００にサプライ減算処理を実行する（ステップ２７０５）。
同様に、定着オイルエンドを検知した場合（ステップ２７０６；Ｙ）、ＰＯＳ１００にサプライ減算処理を発行する（ステップ２７０７）。
そして、画像形成動作が終了したら（ステップ２７０８）、サプライの補充チェック処理を終了する。
図３６は、サプライ減算処理手順を示したフローチャートである。
サプライ情報記憶部１２２にある該当するサプライの在庫数を減算し（ステップ２８０１）、サプライ補充要求発行チェック処理を実行する（ステップ２８０２）。
【０１１１】
図３７は、サプライ補充要求発行チェック処理手順を示したフローチャートである。
まず、サプライ補充要求のあった消耗品の在庫数とサプライ補充設定を比較する（ステップ２９０１）。
在庫数量がサプライ補充設定よりも多い場合（ステップ２９０１；Ｎ）、発注の必要はないのでサプライ補充要求発行チェック処理を終了する。
在庫数量がサプライ補充設定よりも少なく（ステップ２９０１；Ｙ）、該当するサプライの発注状況が発注済みである場合（ステップ２９０２；Ｙ）、発注の必要はないのでサプライ補充要求発行チェック処理を終了する。
在庫数量がサプライ補充設定よりも少なく（ステップ２９０１；Ｙ）、該当するサプライの発注状況が発注済みでない場合（ステップ２９０２；Ｎ）、ＰＯＳ１００にサプライ補充要求を発行する（ステップ２９０３）。
【０１１２】
図３８は、サプライ補充要求受信処理手順を示したフローチャートである。
ＰＯＳ１００は、サプライ補充要求を受信するとサプライ補充要求受信処理を行う。まず、サプライ発注モード記憶部１２５に記憶される発注モードの設定が自動発注モードであるかどうか確認する（ステップ３００１）。
自動発注モードでない場合（ステップ３００１；Ｎ）、在庫品薄メッセージを表示部１０３に表示し（ステップ３００２）、発注するかどうかユーザに選択させる（ステップ３００３）。
自動発注モードである場合（ステップ３００１；Ｙ）、公衆回線１２６を利用して該当する消耗品をサプライ発注モード記憶部１２５に記憶されている所定の数量だけ発注する（ステップ３００４）。そして、画像形成装置１１０に対して発注したことを通知する。
【０１１３】
図３９は、ＰＯＳ内にサプライ管理データ記憶部１２４を持たない場合の手動発注処理手順を示したフローチャートである。
サプライ発注モード記憶部１２５が手動発注に設定されていて、表示部１０３に該当する消耗品が品薄であることが表示されている場合、ユーザは、入力部１０２によって消耗品の発注を行う（ステップ３３０１）。そして、画像形成装置１１０に発注したことを通知する（ステップ３３０２）。
【０１１４】
図４０は、発注通知受信処理手順を示したフローチャートである。
発注指示制御部１２１は、サプライ情報記憶部１２２にある発注された所望品の発注状況を発注済みにして（ステップ３１０１）、発注通知受信処理を終了する。
図４１は、ＰＯＳ内にサプライ管理データ記憶部１２４を待たない場合の納品処理手順を示したフローチャートである。
商品が納入されると入力部１０２により納入された商品コードと検収数量が入力される。ＰＯＳ制御部１０１は、画像形成装置１１０に対して納入情報を通知する（ステップ３２０１）。
【０１１５】
図４２は、納品情報受信処理手順を示したフローチャートである。
発注指示制御部１２１がサプライ情報記録部１２２にある納品された対象サプライ品の在庫数に納入数を加算する（ステップ３４０１）。そして、サプライ情報記憶部１２２にある納入された消耗品の発注状況を納入済みにして（ステップ３４０２）、サプライ補充要求発行チェック処理に移る（ステップ３４０３）。
【０１１６】
図４３は、ＰＯＳ内にサプライ管理データ記憶部１２４を持たない場合の発注モード設定処理手順を示したフローチャートである。
サプライ発注モード記憶部１２５に記憶される現在設定されている発注モードと新たに入力された発注モードとを比較する（ステップ３５０１）。
発注モードが異ならない場合（ステップ３５０１；Ｎ）、発注モード設定処理を終了する。
発注モードが異なり（ステップ３５０１；Ｙ）、その新たに入力された発注モードが自動発注モードである場合（ステップ３５０２；Ｙ）、サプライ発注モード記憶部１２５の発注モードを自動発注と記憶させ（ステップ３５０３）、画像形成装置１１０に発注モード変更を通知する（ステップ３５０５）。
新たに入力された発注モード自動発注モードでない場合（ステップ３５０２；Ｎ）、サプライ発注モード記憶部１２５の発注モードを手動発注と記憶させて（ステップ３５０４）、処理を終了する。
【０１１７】
図４４は、発注モード変更通知受信処理手順を示したフローチャートである。
サプライ情報記憶部１２２の全消耗品（登録数を管理して登録された分だけでもよい）の在庫数量とサプライ補充要求設定を比較させるために、消耗品毎にサプライ補充要求発行チェックを行い、全てのチェックが終了したら発注モード変更通知受信処理を終了する（ステップ３６０１〜ステップ３６０４）。
【０１１８】
図４５は、ＰＯＳ内にサプライ管理データ記憶部１２４を持たない場合のサプライ補充要求設定変更処理手順を示したフローチャートである。
入力部１０２からサプライ補充要求設定の変更を受けると、ＰＯＳ制御部１０１は、画像形成装置１１０に対して該当消耗品のサプライ補充要求設定を通知する（ステップ３７０１）。
【０１１９】
図４６は、サプライ補充要求設定変更受信処理手順を示したフローチャートである。
サプライ情報記憶部１２２の要求のあった消耗品のサプライ要求設定を更新し（ステップ３８０１）、サプライ補充要求発行チェック処理を実行し（ステップ３８０２）、消耗品の発注の必要がないか確認する。
図４７は、自動発注数量変更処理手順を示したフローチャートである。
自動発注時の自動発注数量変更が入力部１０２から指示されると、ＰＯＳ制御部１０１はサプライ発注モード記憶部１２５の該当する商品の数量を入力された数値に変更し（ステップ３９０１）、次の自動発注時より更新された値を使用するようにする。
【図面の簡単な説明】
【０１２０】
【図１】第１の実施形態の画像形成システムの構成を示したブロック図である。
【図２】操作表示部の画像形成動作禁止表示の一例を示した図である。
【図３】操作表示部のＩＤ認識カード挿入指示表示の一例を示した図である。
【図４】操作表示部のモード選択表示の一例を示した図である。
【図５】操作表示部の画像形成動作の許可確認表示の一例を示した図である。
【図６】操作表示部のカード再セット要求表示の一例を示した図である。
【図７】第１の実施形態のＰＯＳでの処理手順を示したフローチャートである。
【図８】ＰＯＳ内に未精算課金データを持つ場合の精算処理手順を示したフローチャートである。
【図９】ＰＯＳ内に未精算課金データを持たない場合の精算処理手順を示したフローチャートである。
【図１０】ＰＯＳ内に未精算課金データを持つ場合のＩＤ受信処理手順を示したフローチャートである。
【図１１】ＰＯＳ内に未精算課金データを持たない場合のＩＤ受信処理手順を示したフローチャートである。
【図１２】ＰＯＳ内に未精算課金データを持つ場合の課金情報受信処理手順を示したフローチャートである。
【図１３】ＰＯＳ内に未精算課金データを持たない場合の課金情報受信処理手順を示したフローチャートである。
【図１４】画像形成装置での処理手順を示したフローチャートである。
【図１５】画像形成装置での画像形成動作許可処理手順を示したフローチャートである。
【図１６】画像形成装置での画像形成動作禁止処理手順を示したフローチャートである。
【図１７】画像形成装置での課金情報要求受信処理手順を示したフローチャートである。
【図１８】画像形成装置でのＩＤ認識設定処理手順を示したフローチャートである。
【図１９】画像形成装置でのＩＤ認識解除処理手順を示したフローチャートである。
【図２０】画像形成装置でのキー操作情報受信処理を示した図である。
【図２１】ＰＯＳ内に未精算課金データを持つ場合の画像形成装置での課金タイミング処理手順を示したフローチャートである。
【図２２】ＰＯＳ内に未精算課金データを持たない場合の画像形成装置での課金タイミング処理手順を示したフローチャートである。
【図２３】画像形成装置での課金情報削除処理手順を示したフローチャートである。
【図２４】画像形成装置での画像形成動作処理手順を示したフローチャートである。
【図２５】第２の実施の形態の画像形成システムの構成を示したブロック図である。
【図２６】ＰＯＳでサプライ情報を管理する場合のサプライ管理データ記憶部に記憶されるデータを示した図である。
【図２７】画像形成装置でサプライ情報を管理する場合のサプライ情報記憶部に記憶されるデータを示した図である。
【図２８】ＰＯＳ内にサプライ管理データ記憶部を持つ場合のサプライ補充チェック処理手順を示したフローチャートである。
【図２９】ＰＯＳでのサプライカウント要求受信処理手順を示した図である。
【図３０】発注チェック処理手順を示したフローチャートである。
【図３１】ＰＯＳ内にサプライ管理データ記憶部を持つ場合の手動発注処理手順を示した図である。
【図３２】ＰＯＳ内にサプライ管理データ記憶部を持つ場合の納品処理手順を示したフローチャートである。
【図３３】ＰＯＳ内にサプライ管理データ記憶部を持つ場合の発注モード設定処理手順を示したフローチャートである。
【図３４】ＰＯＳ内にサプライ管理データ記憶部を持つ場合のサプライ補充要求設定変更処理手順を示したフローチャートである。
【図３５】ＰＯＳ内にサプライ管理データ記憶部を持たない場合のサプライ補充チェック処理手順を示したフローチャートである。
【図３６】サプライ減算処理手順を示したフローチャートである。
【図３７】サプライ補充要求発行チェック処理手順を示したフローチャートである。
【図３８】サプライ補充要求受信処理手順を示したフローチャートである。
【図３９】ＰＯＳ内にサプライ管理データ記憶部を持たない場合の手動発注処理手順を示したフローチャートである。
【図４０】発注通知受信処理手順を示したフローチャートである。
【図４１】ＰＯＳ内にサプライ管理データ記憶部を待たない場合の納品処理手順を示したフローチャートである。
【図４２】納品情報受信処理手順を示したフローチャートである。
【図４３】ＰＯＳ内にサプライ管理データ記憶部を持たない場合の発注モード設定処理手順を示したフローチャートである。
【図４４】発注モード変更通知受信処理手順を示したフローチャートである。
【図４５】ＰＯＳ内にサプライ管理データ記憶部を持たない場合のサプライ補充要求設定変更処理手順を示したフローチャートである。
【図４６】サプライ補充要求設定変更受信処理手順を示したフローチャートである。
【図４７】自動発注数量変更処理手順を示したフローチャートである。
【符号の説明】
【０１２１】
１００  ＰＯＳ（Ｐｏｉｎｔ  ｏｆ  Ｓｙｓｔｅｍ  販売時点情報管理）
１０１  ＰＯＳ制御部
１０２  入力部
１０３  表示部
１０４  プリンタ部
１０５、１１４  通信制御部
１０６  売り上げデータ
１０７  未精算課金データ
１１０  画像形成装置
１１１  モード制御部
１１２  シーケンス制御部
１１３  操作表示部
１１５  課金制御部
１１６  ＩＤ別課金データ
１２０  ＩＤ認識装置
１２１  発注指示制御部
１２２  サプライ情報記憶部
１２３  支出データ記憶部
１２４  サプライ管理データ記憶部
１２５  サプライ発注モード記憶部
１２６  公衆回線
【図１】
2007302007.tif 000003
【図２】
2007302007.tif 000004
【図３】
2007302007.tif 000005
【図４】
2007302007.tif 000006
【図５】
2007302007.tif 000007
【図６】
2007302007.tif 000008
【図７】
2007302007.tif 000009
【図８】
2007302007.tif 000010
【図９】
2007302007.tif 000011
【図１０】
2007302007.tif 000012
【図１１】
2007302007.tif 000013
【図１２】
2007302007.tif 000014
【図１３】
2007302007.tif 000015
【図１４】
2007302007.tif 000016
【図１５】
2007302007.tif 000017
【図１６】
2007302007.tif 000018
【図１７】
2007302007.tif 000019
【図１８】
2007302007.tif 000020
【図１９】
2007302007.tif 000021
【図２０】
2007302007.tif 000022
【図２１】
2007302007.tif 000023
【図２２】
2007302007.tif 000024
【図２３】
2007302007.tif 000025
【図２４】
2007302007.tif 000026
【図２５】
2007302007.tif 000027
【図２６】
2007302007.tif 000028
【図２７】
2007302007.tif 000029
【図２８】
2007302007.tif 000030
【図２９】
2007302007.tif 000031
【図３０】
2007302007.tif 000032
【図３１】
2007302007.tif 000033
【図３２】
2007302007.tif 000034
【図３３】
2007302007.tif 000035
【図３４】
2007302007.tif 000036
【図３５】
2007302007.tif 000037
【図３６】
2007302007.tif 000038
【図３７】
2007302007.tif 000039
【図３８】
2007302007.tif 000040
【図３９】
2007302007.tif 000041
【図４０】
2007302007.tif 000042
【図４１】
2007302007.tif 000043
【図４２】
2007302007.tif 000044
【図４３】
2007302007.tif 000045
【図４４】
2007302007.tif 000046
【図４５】
2007302007.tif 000047
【図４６】
2007302007.tif 000048
【図４７】
2007302007.tif 000049